(57)【要約】【課題】表示画像の遮蔽を容易に行うことができる画像表示方法を提供する。【解決手段】画像表示システムが、表示面へのコンテンツウィンドウ２０５の表示指示の操作を、操作検出手段によって検出する操作検出ステップと、表示指示の操作に基づいて、遮蔽ウィンドウ２０４を表示面に表示する遮蔽画像表示ステップと、遮蔽画像表示ステップ終了後に、遮蔽ウィンドウ２０４に遮蔽されるようにコンテンツウィンドウ２０５を遮蔽ウィンドウ２０４で遮蔽されるように表示面に表示する表示画像表示ステップと、を行う。【選択図】図５
2014010541.tif 000002
【特許請求の範囲】
【請求項１】
画像を表示する表示面と、操作を検出する操作検出手段と、を備える画像表示システムを用いた画像表示方法であって、
前記画像表示システムが、
前記表示面への表示画像の表示指示の操作を、前記操作検出手段によって検出する操作検出ステップと、
前記表示指示の操作に基づいて、前記表示画像を遮蔽する遮蔽画像を前記表示面に表示する遮蔽画像表示ステップと、
前記遮蔽画像表示ステップ終了後に、前記表示画像を前記遮蔽画像に遮蔽されるように前記表示面に表示する表示画像表示ステップと、を行うことを特徴とする画像表示方法。
【請求項２】
請求項１に記載の画像表示方法において、
前記操作検出ステップで前記表示指示の操作のうちの所定の操作を検出した際に、前記遮蔽画像表示ステップを行い、
前記操作検出ステップで前記表示指示の操作のうちの前記所定の操作以外の操作を検出した際に、前記遮蔽画像表示ステップを行わずに、前記表示画像表示ステップを行うことを特徴とする画像表示方法。
【請求項３】
請求項２に記載の画像表示方法において、
前記所定の操作が、前記表示画像に対応付けられ、かつ前記表示面に予め表示されているアイコンを用いて行われる操作であることを特徴とする画像表示方法。
【請求項４】
請求項３に記載の画像表示方法において、
前記所定の操作が、前記アイコンを前記表示面の所定の領域に移動させる操作であることを特徴とする画像表示方法。
【請求項５】
請求項２から請求項４のいずれかに記載の画像表示方法において、
前記所定の操作が、前記遮蔽画像表示ステップを行った後に前記表示画像表示ステップを行うように指示する操作であることを特徴とする画像表示方法。
【請求項６】
請求項１から請求項５のいずれかに記載の画像表示方法において、
前記遮蔽画像表示ステップでは、前記画像表示システムを制御するために前記表示面に表示されているシステム制御用画像の表示領域以外の領域を遮蔽する前記遮蔽画像を表示することを特徴とする画像表示方法。
【請求項７】
請求項１から請求項６のいずれかに記載の画像表示方法において、
前記表示画像ステップで表示した前記表示画像の表示位置および表示サイズを検出する表示状態検出ステップと、
前記遮蔽画像表示ステップで表示した前記遮蔽画像の表示位置および表示サイズを前記表示画像の表示位置および表示サイズに対応するように調整する遮蔽画像調整ステップと、を行うことを特徴とする画像表示方法。
【請求項８】
請求項７に記載の画像表示方法において、
前記表示画像が、前記表示画像を制御するための表示制御用画像および前記表示画像の概要を示す概要表示画像の少なくとも一方を含む管理表示領域と、前記表示画像の内容を示す内容表示領域とを有し、
前記遮蔽画像調整ステップでは、少なくとも前記管理表示領域以外の領域を遮蔽するように前記遮蔽画像を調整することを特徴とする画像表示方法。
【請求項９】
請求項１から請求項８のいずれかに記載の画像表示方法において、
前記表示画像に含まれる文字を検出する文字検出ステップと、
前記遮蔽画像表示ステップで表示した前記遮蔽画像を前記文字が含まれる領域が遮蔽されるように調整する遮蔽画像調整ステップと、を行うことを特徴とする画像表示方法。
【請求項１０】
請求項１から請求項８のいずれかに記載の画像表示方法において、
前記表示画像においてオブジェクトが表示されている領域を示すオブジェクト情報を取得するオブジェクト情報取得ステップと、
前記表示画像を複数のブロックに分割する分割ステップと、
前記オブジェクト情報に基づいて、前記複数のブロックのうち遮蔽対象となる遮蔽対象ブロックを決定する遮蔽対象決定ステップと、
前記遮蔽画像表示ステップで表示した前記遮蔽画像を前記遮蔽対象ブロックが遮蔽されるように調整する遮蔽画像調整ステップと、
を行うことを特徴とする画像表示方法。
【請求項１１】
請求項１０に記載の画像表示方法において、
前記遮蔽対象決定ステップでは、前記オブジェクト情報に基づいて、前記オブジェクトが表示されている領域が所定の割合以上を占めるブロックを前記遮蔽対象ブロックとして決定することを特徴とする画像表示方法。
【請求項１２】
請求項１から請求項１１のいずれかに記載の画像表示方法において、
前記画像表示システムは、前記表示画像に対応づけられた音声を出力する音声出力手段を備え、
前記操作検出ステップで検出した前記表示指示の操作に基づいて、前記遮蔽画像表示ステップを行う場合、前記音声出力手段から前記音声が出力されない非出力状態とする音声制御ステップを行うことを特徴とする画像表示方法。
【発明の詳細な説明】
【技術分野】
【０００１】
本発明は、画像表示方法に関する。
【背景技術】
【０００２】
従来、表示装置、入力装置および制御装置を備え、入力装置の入力に応じて画像を表示する画像表示システムがある。このような画像表示システムとして、例えば、電子黒板システムが知られている。
【０００３】
電子黒板システムでは、表示装置である電子黒板の表示面の一部の領域を見えないように遮蔽したり、遮蔽を解除したりする機能が知られている。この機能を用いることにより、例えば、見られたくない画像を隠すことができる。また、注目させたい画像を予め遮蔽しておき、後に遮蔽を解除することにより、見る者の注意を喚起することができる。
【０００４】
このように画像を遮蔽する処理（以下、単に、遮蔽処理ともいう）の有効性から、遮蔽処理について様々な検討がなされている（例えば、特許文献１参照）
特許文献１の構成では、表示対象となる画像に含まれる描画オブジェクトのそれぞれに、遮蔽処理を行うか否かを示す情報を予め付加して記憶している。そして、遮蔽処理を行うように予め設定されている描画オブジェクトを表示する際に、遮蔽処理を行うようにしている。
【先行技術文献】
【特許文献】
【０００５】
【特許文献１】特許第４６８３５６０号公報
【発明の概要】
【発明が解決しようとする課題】
【０００６】
しかしながら、特許文献１のような構成では、描画オブジェクトのそれぞれに対して遮蔽処理を行うか否かを予め設定しておく必要がある。そのため、遮蔽処理を行うための操作が煩わしいという問題がある。
【０００７】
また、特許文献１のような構成では、専用のプログラムを用いて、表示対象となる画像を描画し、描画した描画オブジェクトのそれぞれに対して遮蔽処理を行うか否かの設定を行う必要がある。すなわち、特許文献１のような構成では、遮蔽処理を行うための専用のアプリケーションを用いて、表示対象となる画像を作成し、表示する必要がある。そのため、任意のアプリケーションによって作成され、表示される画像に対して遮蔽処理を行うことができないという問題がある。
【０００８】
ところで、任意のアプリケーションを用いて表示される画像に対して遮蔽処理を行う方法として、表示対象となる画像を表示するアプリケーションを手動で起動させる。その後、表示された表示画像を遮蔽する遮蔽ウィンドウを手動で起動させて、表示させることにより、表示画像を遮蔽する方法が考えられる。
しかし、この場合、表示画像が表示されてから遮蔽ウィンドウが表示されるため、表示画像を遮蔽するまでの間、表示画像が視認可能な状態となってしまうという問題がある。
【０００９】
また、遮蔽ウィンドウを先に手動で起動させた後に、表示対象となる画像を表示するアプリケーションを手動で起動させる方法も考えられる。
しかしながら、起動直後の遮蔽ウィンドウの表示位置が、起動直後の表示画像の表示位置と一致していないということは十分にあり得る。また、起動直後の遮蔽ウィンドウの表示サイズが、起動直後の表示画像の表示サイズよりも著しく小さいということも十分にあり得る。
この場合、表示画像を遮蔽するために、遮蔽ウィンドウの位置やサイズを適宜変更する必要がある。そして、表示画像が表示されてから、遮蔽ウィンドウの位置やサイズが適切に変更されるまでの間は、表示画像が視認可能な状態となってしまうという問題がある。
【００１０】
このような問題に対して、遮蔽ウィンドウを全画面にわたり表示して、表示画像が視認可能となるのを抑止することが考えられる。しかしながら、このような操作を行った場合、表示対象となる画像を表示するアプリケーションを起動させるためのアイコンやメニューが遮蔽ウィンドウによって遮蔽されてしまうおそれがある。その結果、画像を表示させるために、遮蔽ウィンドウの位置やサイズを変更したり、メニューから対象画像を表示するためのアイコンを探したりする必要があり、操作が煩わしいという問題がある。
【００１１】
また、上述のように、任意のアプリケーションに対しては、遮蔽ウィンドウと、画像を表示させるためのアプリケーションとを起動させる必要がある。すなわち、少なくとも２つの操作を行う必要があり、操作が煩わしいという問題がある。
【００１２】
本発明は、遮蔽対象である画像が、任意のアプリケーションで生成され、表示される画像であっても、表示画像の遮蔽を容易に行うことができる画像表示方法を提供することを１つの目的とする。
【課題を解決するための手段】
【００１３】
本発明の画像表示方法は、画像を表示する表示面と、操作を検出する操作検出手段と、を備える画像表示システムを用いた画像表示方法であって、前記画像表示システムが、前記表示面への表示画像の表示指示の操作を、前記操作検出手段によって検出する操作検出ステップと、前記表示指示の操作に基づいて、前記表示画像を遮蔽する遮蔽画像を前記表示面に表示する遮蔽画像表示ステップと、前記遮蔽画像表示ステップ終了後に、前記表示画像を前記遮蔽画像に遮蔽されるように前記表示面に表示する表示画像表示ステップと、を行うことを特徴とする。
【図面の簡単な説明】
【００１４】
【図１】本発明の第１〜第５実施形態に係る電子黒板システムの模式図。
【図２】第１実施形態における電子黒板システムの概略構成を示すブロック図。
【図３】第１実施形態における遮蔽処理を示すフローチャート。
【図４】第１実施形態の遮蔽処理における表示指示を示す模式図。
【図５】第１実施形態における遮蔽処理を示す模式図。
【図６】第２実施形態における電子黒板システムの概略構成を示すブロック図。
【図７】第２実施形態における遮蔽処理を示すフローチャート。
【図８】第２実施形態における遮蔽処理を示すフローチャート。
【図９】第２実施形態における遮蔽処理を示す模式図。
【図１０】第３実施形態における電子黒板システムの概略構成を示すブロック図。
【図１１】第３実施形態における遮蔽処理を示すフローチャート。
【図１２】第４実施形態における電子黒板システムの概略構成を示すブロック図。
【図１３】第４実施形態における遮蔽処理を示すフローチャート。
【図１４】第４実施形態における遮蔽処理を示す模式図。
【図１５】第５実施形態における電子黒板システムの概略構成を示すブロック図。
【図１６】第５実施形態における遮蔽処理を示すフローチャート。
【図１７】第５実施形態における遮蔽処理を示す模式図。
【発明を実施するための形態】
【００１５】
以下、本発明に係る画像表示方法の一例である第１〜第５実施形態について、図１〜図１７を用いて詳細に説明する。なお、本発明に係る画像表示方法を実現させる画像表示システムの一例として、電子黒板システムについて説明する。
【００１６】
［第１実施形態］
まず、本発明の画像表示方法の第１実施形態について図面に基づいて説明する。
｛電子黒板システムの構成｝
図１に示すように、電子黒板システム１は、表示面２０を有する表示装置２と、操作検出手段としての入力装置３と、音声出力手段としての音声出力装置４と、ＰＣ（パーソナルコンピュータ）５と、を備える。
【００１７】
表示装置２は、ＰＣ５に通信可能に接続されたいわゆるタッチパネルとする。表示装置２は、図２に示すように、表示面２０を有する表示部２１と、操作検出手段としての操作検出部２２とを備える。
表示部２１としては、液晶ディスプレイ、プラズマディスプレイ、有機ＥＬディスプレイ等の各種フラットパネルディスプレイを用いることができる。
【００１８】
操作検出部２２は、人間の指等の指示物が表示面２０に接触または近接した場合（以下、指示物等が、表示面２０に接触する接触位置に存在する場合と、近接する近接位置に存在する場合とを含めて「表示面２０上に存在する」ともいう）、接触位置または近接位置（以下、接触位置または近接位置をまとめて「操作位置」ともいう）を検出し、検出結果を制御部５０に送信する。本実施形態では、操作検出部２２として、指示物が表示面２０に近接したことを検出可能な赤外線方式のタッチパネルを用いる。なお、操作検出部２２は、赤外線方式のものに限定されず、指示物が表示面２０に接触したことを検出可能な静電容量方式や電磁誘導方式などの各種方式のものを用いてもよい。また、操作検出部２２は、上記タッチパネルに限定されず、表示面２０における操作を検出可能な装置であれば、各種の検出装置を用いてもよい。
【００１９】
入力装置３は、ＰＣ５に通信可能に接続され、人間による操作や指示を検出して、検出結果をＰＣ５に入力する。入力装置３は、例えば、キーボードやマウス等の、人間による操作や指示を検出可能な各種入力装置である。
音声出力装置４は、ＰＣ５に通信可能に接続され、ＰＣ５の制御により音声を出力する。なお、本実施形態では、音声出力装置４は、ＰＣ５に接続されているが、表示装置２を介してＰＣ５に接続されるように構成してもよいし、表示装置２またはＰＣ５に内蔵されるように構成してもよい。
【００２０】
ＰＣ５は、制御部５０と、記憶手段６０とを備える。
制御部５０は、記憶手段６０に記憶されたプログラムおよびデータをＣＰＵ（Central Processing Unit）が処理することにより構成される、コンテンツ表示手段５１と、遮蔽ウィンドウ表示手段５２と、音声制御手段５３とを備える。
【００２１】
コンテンツ表示手段５１は、表示部２１の表示面２０に、静止画や動画あるいはアプリーションによって生成されたテキストや図形を含む画像といったコンテンツ（本明細書では、コンテンツとは、表示される内容を指し、当該コンテンツを表示させるためのアプリケーションとは区別している）を、表示画像としてのコンテンツウィンドウ２０５（図５（Ｂ）参照）として表示させる。コンテンツ表示手段５１は、操作検出部２２や入力装置３からの入力に基づいて、コンテンツの表示指示を受けると、このコンテンツに関するデータ（以下、コンテンツに関するデータのことを「コンテンツデータ」ともいう）と、このコンテンツを表示させるプログラム（すなわち、表示対象のコンテンツデータに予め関連付けられたアプリケーション）とを記憶手段６０から取得する。そして、コンテンツ表示手段５１は、取得したコンテンツデータとアプリケーションとを用いて、コンテンツウィンドウ２０５を生成して表示面２０に表示させる。
【００２２】
コンテンツウィンドウ２０５は、コンテンツの内容を表示する内容表示領域の他に、例えば、コンテンツの概要を示すタイトルを表示するタイトル表示部２０６（図５（Ｂ）参照）や、アプリケーケーションを用いて各種の設定や操作を行うための操作メニューを表示する図示しないメニュー表示部等を含む管理表示領域を有する。タイトル表示部２０６やメニュー表示部は、コンテンツウィンドウ２０５の上下左右の端部の少なくともいずれかに配置されることが多い。
【００２３】
遮蔽ウィンドウ表示手段５２は、表示面２０に表示されるコンテンツウィンドウ２０５の少なくとも一部の領域を視認不可能な状態とする、遮蔽画像としての遮蔽ウィンドウ２０４（図５（Ａ）参照）を表示面２０に表示させる。遮蔽ウィンドウ表示手段５２は、遮蔽ウィンドウ２０４に関するデータ（以下、遮蔽ウィンドウ２０４に関するデータのことを遮蔽画像データともいう）と、遮蔽ウィンドウ２０４を表示させるプログラムとを記憶手段６０から取得する。そして、遮蔽ウィンドウ表示手段５２は、取得した遮蔽画像データとプログラムとを用いて、遮蔽ウィンドウ２０４を生成して表示面２０に表示させる。
【００２４】
音声制御手段５３は、音声出力装置４から音声が出力されるように音声出力装置４を制御する。また、音声制御手段５３は、入力装置３または操作検出部２２からの入力に応じて、音量の調整等の音声出力に関する各種の制御を行う。
【００２５】
｛電子黒板システムの作用｝
次に、電子黒板システム１の作用を説明する。
図３に示すように、まず、使用者が表示面２０上でコンテンツの表示指示の操作を行うと、表示装置２の操作検出部２２が、この操作を検出する。そして、遮蔽ウィンドウ表示手段５２は、コンテンツの表示指示が行われたことを検出する（ステップＳ１）。また、使用者が入力装置３を用いてコンテンツの表示指示の操作を行っても、同様に、遮蔽ウィンドウ表示手段５２は、コンテンツの表示指示が行われたことを検出する（ステップＳ１）。
【００２６】
ここで、図４（Ａ）〜図４（Ｃ）を用いて、コンテンツの表示指示の操作の具体例について説明する。
例えば、図４（Ａ）〜図４（Ｃ）に示すように、表示装置２の表示面２０には、コンテンツアイコン２０１が予め表示されている。コンテンツアイコン２０１は、表示対象のコンテンツのコンテンツデータとアプリケーションとに対応付けられている。
また、表示面２０には、使用者による表示面２０上における操作、または入力装置３を用いた操作に応じて、ポインタＰが表示される。ポインタＰは、操作検出部２２によって検出された操作位置、または入力装置３からの入力に応じた位置に表示される。
【００２７】
図４（Ａ）は、コンテンツアイコン２０１を表示面２０の所定の領域に移動させる操作（すなわち、ドラッグ＆ドロップ操作）を示す。図４（Ａ）に示すように、表示面２０には、予め遮蔽ウィンドウアイコン２０２が表示されている。遮蔽ウィンドウアイコン２０２が表示されている領域は、本発明の「表示面の所定の領域」に対応する。
【００２８】
まず使用者は、入力装置３を操作して、ポインタＰをコンテンツアイコン２０１上に移動させて、コンテンツアイコン２０１を選択する。コンテンツアイコン２０１を選択した状態でポインタＰを移動させると、ポインタＰの移動に応じてコンテンツアイコン２０１が移動する。ここで、矢印Ｄで示すように、ポインタＰを遮蔽ウィンドウアイコン２０２の表示領域内に移動させると、コンテンツアイコン２０１が遮蔽ウィンドウアイコン２０２の表示領域内に移動する。すなわち、コンテンツアイコン２０１が遮蔽ウィンドウアイコン２０２の表示領域内にドラッグ＆ドロップされると、遮蔽ウィンドウ表示手段５２は、コンテンツの表示指示が行われたことを検出する。
【００２９】
指示物を用いてドラッグ＆ドロップ操作を行う場合、使用者は、表示面２０上のコンテンツアイコン２０１の表示領域に指等の指示物を接触または近接させる。そして、使用者は、指示物を表示面２０に接触または近接させた状態で、矢印Ｄで示すように、指示物を移動させる。指示物の移動に応じて、コンテンツアイコン２０１の表示位置が変更される。そして、使用者は、コンテンツアイコン２０１が遮蔽ウィンドウアイコン２０２の表示領域内に移動するまで、指示物を移動させる。
【００３０】
なお、遮蔽ウィンドウアイコン２０２は、表示面２０における所定の領域を示すアイコンとしたが、これに限定されない。例えば、遮蔽ウィンドウアイコン２０２は、表示面２０に予め表示されている遮蔽ウィンドウであってもよい。この場合、使用者は、遮蔽ウィンドウの表示領域まで、コンテンツアイコン２０１をドラッグ＆ドロップすることにより表示指示を行う。いずれにせよ、使用者は、表示面２０における所定の領域にコンテンツアイコン２０１をドラッグ＆ドロップすることにより表示指示を行う。
【００３１】
図４（Ｂ）は、コンテンツアイコン２０１を用いて行われる、表示指示の操作を示す。
まず使用者は、入力装置３を操作して、ポインタＰをコンテンツアイコン２０１上に移動させる。この状態で、コンテンツアイコン２０１を用いて行われる表示指示の操作として、特定の操作を行う。特定の操作が行われると、遮蔽ウィンドウ表示手段５２は、コンテンツの表示指示が行われたことを検出する。なお、特定の操作とは、例えば、ダブルクリックや長押し等の各種の操作であり、コンテンツアイコン２０１を用いて表示指示を行う操作として予め設定されている操作である。
【００３２】
指示物を用いて上記特定の操作を表示面２０上で行う場合、使用者は、表示面２０上のコンテンツアイコン２０１の表示領域に指示物を接触または近接させた状態から、指示物を表示面２０上から離間させた状態へ変化させる操作を所定回数、例えば２回、連続して行う。すなわち、コンテンツアイコン２０１をダブルクリックする操作を行う。また、例えば、使用者は、表示面２０上のコンテンツアイコン２０１の表示領域に指示物を接触または近接させた状態を所定時間継続させる操作を行う。すなわち、コンテンツアイコン２０１を長押しする操作を行う。
【００３３】
図４（Ｃ）は、表示指示の具体例として、予め設定されている操作指示リストから、後述する、遮蔽処理を行うことを指示する操作を示す。
まず使用者は、入力装置３を操作して、ポインタＰをコンテンツアイコン２０１上に移動させる。ポインタＰがコンテンツアイコン２０１上に移動すると、予め設定されている選択メニュー２０３が表示される。次に、使用者が、選択メニュー２０３から「開く」または「遮蔽して開く」の項目を選択すると、遮蔽ウィンドウ表示手段５２は、コンテンツの表示指示が行われたことを検出する。
なお、使用者が、選択メニュー２０３から「遮蔽して開く」の項目を選択すると、後述する遮蔽処理が許可される。
【００３４】
なお、図４（Ａ）〜図４（Ｃ）に示す各操作において、操作検出部２２よって検出された操作位置にポインタＰを表示するように説明したが、指示物を用いて表示面２０上で上記各操作を行う場合、必ずしも表示面２０にポインタＰを表示しなくともよい。
【００３５】
次に、図３に示すように、遮蔽ウィンドウ表示手段５２は、表示指示の対象となったコンテンツの遮蔽が許可されているか否かを検出する（ステップＳ２）。
遮蔽を許可されているか否かの判断は、例えば、表示指示の操作の種類、およびコンテンツを表示するためのアプリケーションの種類に応じて、予め設定された取決めに基づいて行われる。また、例えば、コンテンツデータのそれぞれに対して、予め設定された取決めに基づいて行われる。
すなわち、遮蔽ウィンドウ表示手段５２は、予め設定された取決めに基づいて、表示指示の対象となったコンテンツの遮蔽が許可されているかを判断する。使用者や設計者は、所望の操作、アプリケーション、およびコンテンツに対して、遮蔽が許可されるように、上記取決めを予め設定しておけばよい。また、使用者は、上記取決めを新たに決定し、設定することができる。なお、上記取決めの設定方法・手段、すなわち、遮蔽の許可・非許可の設定方法・手段は、特に制限されず、使用者が予め設定できればどのようなものでもよい。例えば、遮蔽の許可・非許可の設定を行うための設定表示を予め表示可能に構成し、この設定表示から、使用者が、所望の操作、アプリケーション、およびコンテンツ等に対して遮蔽の許可・非許可の設定操作を予め行うことができるように構成してもよい。
【００３６】
例えば、遮蔽ウィンドウ表示手段５２は、表示指示の操作のうちの所定の操作を検出すると、遮蔽が許可されていると判断する。一方、遮蔽ウィンドウ表示手段５２は、表示指示の操作のうち上記所定の操作以外の操作を検出すると、遮蔽が許可されていないと判断する。
遮蔽を許可する所定の操作として、図４（Ａ）〜図４（Ｃ）に示す各操作（ドラッグ＆ドロップ操作、ダブルクリック、「遮蔽して開く」の選択）等の操作が例示される。
【００３７】
次に、表示指示の対象となったコンテンツの遮蔽が許可されている場合、遮蔽ウィンドウ表示手段５２は、図５（Ａ）に示すように遮蔽ウィンドウ２０４を表示面２０に表示させる（以下、単に「遮蔽処理」ともいう）。このとき、遮蔽ウィンドウ表示手段５２は、遮蔽ウィンドウ２０４が表示面２０の最前面（すなわち、最も上のレイヤ）に表示されるように、遮蔽ウィンドウ２０４のレイヤを設定する（ステップＳ３）。
なお、図５では、説明のため遮蔽ウィンドウ２０４を斜線で示し、その下のレイヤに表示されているコンテンツアイコン２０１やコンテンツウィンドウ２０５を視認可能に示しているが、実際は、遮蔽ウィンドウ２０４によって遮蔽され視認不可能な状態である。
【００３８】
次に、コンテンツ表示手段５１は、アプリケーションを起動して、図５（Ｂ）に示すようにコンテンツウィンドウ２０５を表示し（ステップＳ４）、図３のフローチャートに示す処理を終了する。
一方、ステップＳ２において、遮蔽ウィンドウ表示手段５２がコンテンツの遮蔽が許可されていないと判断した場合、コンテンツ表示手段５１は、ステップＳ４を実行し、図３のフローチャートに示す処理を終了する。
【００３９】
なお、遮蔽ウィンドウ２０４は、表示面２０の最前面に表示されるとしたが、コンテンツウィンドウ２０５を遮蔽可能であればよく、コンテンツウィンドウ２０５よりも上のレイヤに表示されていればよい。
【００４０】
また、遮蔽ウィンドウ２０４は、下層のレイヤの透過率が０％に設定されている必要はない。遮蔽ウィンドウ２０４の透過率は、コンテンツウィンドウ２０５に表示されたコンテンツの内容を容易に理解できないように遮蔽可能な範囲であれば、コンテンツウィンドウ２０５が遮蔽ウィンドウ２０４を介して透けて見える値に設定されてもよい。
【００４１】
また、遮蔽ウィンドウ２０４の表示位置および表示サイズは、下のレイヤに表示されるコンテンツウィンドウ２０５の表示領域のうち、視認不可能としたい領域である所望の領域を少なくとも遮蔽可能なように設定されていればよい。例えば、遮蔽ウィンドウ２０４の表示位置および表示サイズは、遮蔽ウィンドウ２０４が表示面２０の全面に表示されるように設定されてもよいし、コンテンツウィンドウ２０５の一部を遮蔽可能なように設定されてもよい。
【００４２】
遮蔽ウィンドウ２０４のサイズおよび位置は、図５に示す電子黒板システム１の動作を制御するためのアイコンやメニュー等のシステム制御用画像２００を視認可能とする範囲内で、表示面２０の略全面を遮蔽することができるように設定されていることが好ましい。すなわち、遮蔽ウィンドウ２０４は、画像表示システム１を制御するために表示面２０に表示されているシステム制御用画像２００の表示領域以外の領域を遮蔽領域とすることが好ましい。
具体的には、遮蔽ウィンドウ２０４のサイズを、表示面２０の９０〜９５％を占めるサイズに、遮蔽ウィンドウ２０４位置を、表示面２０の上下左右の端部が遮蔽されず視認可能となる位置とする設定が例示される。
これにより、システム制御用画像２００が、表示面２０の上下左右の端部の少なくともいずれかに表示されている場合、遮蔽ウィンドウ２０４は、上記システム制御用画像２００を遮蔽せずに、表示面２０の略全領域を遮蔽することができる。したがって、遮蔽処理が実行された後でも、使用者は、上記システム制御用画像２００から電子黒板システム１の動作を制御するために遮蔽ウィンドウ２０４の位置やサイズを変更しなくてもよい。すなわち、遮蔽処理を行ったとしても、容易に電子黒板システム１の動作を制御することができる。
【００４３】
また、コンテンツウィンドウ２０５が表示面２０の全面に表示された場合でも、遮蔽ウィンドウ２０４が表示面２０の全面に表示されてしまうと、コンテンツの概要を示すタイトル表示部２０６も遮蔽されてしまう。これに対して上述のように、遮蔽ウィンドウ２０４のサイズおよび位置を設定することにより、タイトル表示部２０６を遮蔽せずに、コンテンツウィンドウ２０５の内容を遮蔽することができる。したがって、コンテンツウィンドウ２０５の内容を視認不可能とするとともに、使用者がコンテンツウィンドウ２０５の概要を視認可能とすることができる。
【００４４】
また、本実施形態では、表示指示の態様に応じて遮蔽を許可するか否かを予め設定しておくとしたが、全ての表示指示に対して遮蔽を許可するように設定してもよい。この場合、遮蔽が許可されているかを確認するステップＳ２は必ずしも行わなくてもよい。
【００４５】
なお、図３のフローチャートには示していないが、遮蔽処理を行った後に、遮蔽ウィンドウ２０４の表示位置、サイズ、およびレイヤを、表示装置２の操作検出部２２や入力装置３を介して適宜変更可能であることはいうまでもない。
【００４６】
｛第１実施形態の作用効果｝
上述したような第１実施形態では、以下のような作用効果を得ることができる。
（１）電子黒板システム１は、表示面２０への表示対象となるコンテンツの表示指示の操作を検出すると、表示対象のコンテンツを含むコンテンツウィンドウ２０５を遮蔽する遮蔽ウィンドウ２０４を表示面２０に表示する。そして、遮蔽ウィンドウ２０４を表示した後に、表示面２０にコンテンツウィンドウ２０５を表示する。
このため、使用者がコンテンツウィンドウ２０５の表示指示を行うだけで、コンテンツウィンドウ２０５が表示される前に遮蔽ウィンドウ２０４が表示される。これにより、使用者は、複数の動作を行ったり、遮蔽対象となる画像に対して予め遮蔽するか否かの設定を行ったりといった、煩雑な作業を予め行う必要がない。その上、コンテンツウィンドウ２０５の表示指示という一つの動作を行うだけで、コンテンツウィンドウ２０５の遮蔽処理を行うことができる。
また、使用者がコンテンツウィンドウ２０５の表示指示を行うだけで、コンテンツウィンドウ２０５が表示される前に遮蔽ウィンドウ２０４が表示される。これにより、遮蔽ウィンドウ２０４が表示される前に、コンテンツウィンドウ２０５が表示されてしまうことがなく、コンテンツウィンドウ２０５の遮蔽処理を確実に行うことができる。
さらに、電子黒板システム１は、使用者がコンテンツウィンドウ２０５の表示指示を行うだけで、遮蔽ウィンドウ２０４とコンテンツウィンドウ２０５とを表示する処理を行う。これにより、遮蔽処理を行うための専用のアプリケーションを用いて表示対象のコンテンツを作成する必要がない。すなわち、任意のアプリケーションで作成され表示されるコンテンツウィンドウ２０５に対しても遮蔽処理を行うことができる。
以上のように、電子黒板システム１は、使用者が表示対象のコンテンツの表示指示を行うだけで、任意のアプリケーションで作成され、表示されるコンテンツに対しても容易かつ確実に遮蔽処理を行うことができる、利便性および汎用性の高い画像表示方法を提供することができる。
【００４７】
（２）電子黒板システム１は、表示指示を検出すると、遮蔽ウィンドウ２０４の表示が許可されているか、すなわち遮蔽が許可されているかを確認する。遮蔽が許可されている場合、遮蔽ウィンドウ２０４を表示した後にコンテンツウィンドウ２０５を表示する。一方、遮蔽が許可されていない場合、遮蔽ウィンドウ２０４を表示せずにコンテンツウィンドウ２０５を表示する。
このような構成にすれば、使用者は、例えば、所定の操作、アプリケーション、およびコンテンツデータに対して遮蔽が許可されるように予め設定するだけで、遮蔽処理を行うか否かを設定することができる。すなわち、専用のアプリケーションで、コンテンツ内の遮蔽対象となる画像のそれぞれに対して予め遮蔽するか否かの設定を行う等の煩雑な作業を行う必要がなく、遮蔽処理を行うか否かを容易に設定することができる。
また、所定の操作に対して遮蔽を許可するように予め設定されている場合、使用者は、所定の操作を行うだけで遮蔽処理を実行させることができる。また、表示指示の操作のうち上記所定の操作以外の操作を行うことで遮蔽を非許可とすることができる。したがって、使用者は、表示指示の操作を使い分けるだけで、遮蔽を許可するか否か容易に選択できる。
さらに、遮蔽処理を頻繁に適用するような所定のアプリケーションに対して遮蔽を許可するように予め設定されている場合、使用者は、当該アプリケーションを用いてコンテンツの表示を行うことで遮蔽処理を許可することができる。また、当該アプリケーション以外のアプリケーションを用いてコンテンツの表示を行うことで遮蔽処理を非許可とすることができる。
【００４８】
（３）表示指示の操作のうち、遮蔽を許可する所定の操作として、コンテンツアイコン２０１を用いる所定の操作が対応付けられている。
これにより、使用者は、予め表示面２０に表示されているコンテンツアイコン２０１を用いて所定の操作を行うだけで、遮蔽を許可することができる。
また、コンテンツアイコン２０１を所定回数（例えば２回）連続して選択（ダブルクリック）した場合は遮蔽を許可し、それ以外の回数（例えば３回）連続して選択した場合は遮蔽を不許可とするように、予め設定しておけば、使用者は、コンテンツアイコン２０１を所定回数連続して選択するという簡単な操作で、遮蔽を許可し、かつ、表示指示を行うことができる。
また、連続して選択する際の回数に応じて、遮蔽を許可するか否かを容易に選択することができるため、使用者は、「遮蔽を許可して表示指示を行う」動作を容易かつ直感的に行うことができるとともに、遮蔽を許可するか否かを容易かつ直感的に選択することができる。
【００４９】
（４）所定の操作を、コンテンツアイコン２０１を遮蔽ウィンドウアイコン２０２（すなわち、表示面２０の所定の領域）に移動させるドラッグ＆ドロップ操作としている。
これにより、使用者は、遮蔽ウィンドウアイコン２０２にコンテンツアイコン２０１をドラッグ＆ドロップするという簡単かつ直感的に理解し易い操作で、遮蔽を許可し、かつ、表示指示を行うことができる。
【００５０】
（５）所定の操作を、予め設定されている選択メニュー２０３から、遮蔽処理を行うことを指示する選択肢（図５（Ｃ）の「遮蔽して開く」）を選択する操作としている。
これにより、使用者は、遮蔽を許可するか否かを容易に選択することができる。
特に、コンテンツアイコン２０１を選択すると選択メニュー２０３が表示され、選択メニュー２０３から「遮蔽して開く」か「遮蔽せずに開く」かを、選択するように構成している。
これにより、使用者は表示面２０に予め表示されているコンテンツアイコン２０１を操作して遮蔽を許可するか否かを選択することができるので、遮蔽を許可するか否かをより容易に選択することができる。
【００５１】
［第２実施形態］
次に、本発明の第２実施形態について説明する。
第２実施形態と第１実施形態との違いは、第２実施形態では、第１実施形態の処理に加えて、コンテンツウィンドウ２０５の表示位置、表示サイズならびに表示レイヤに応じて、一旦表示した遮蔽ウィンドウ２０４の表示位置、表示サイズならびに表示レイヤを変更（調整）する処理を行う点である。
なお、以下の説明において、第１実施形態と同じ機能を有する構成や同じ処理については、同一符号を付し説明を省略あるいは簡略にする。
【００５２】
｛電子黒板システムの構成｝
図６示すように、電子黒板システム１Ａは、表示装置２と、入力装置３と、音声出力装置４と、ＰＣ５Ａとを備える。
また、ＰＣ５Ａの制御部５０Ａは、記憶手段６０に記憶されたプログラムおよびデータをＣＰＵが処理することにより構成される、コンテンツ表示手段５１と、遮蔽ウィンドウ表示手段５２と、音声制御手段５３と、遮蔽ウィンドウ調整手段５５Ａとを備える。
【００５３】
遮蔽ウィンドウ調整手段５５Ａは、コンテンツウィンドウ２０５Ａ（図９（Ｂ）参照）の表示面２０における表示位置を示す情報（表示位置情報）および表示サイズを示す情報（表示サイズ情報）、ならびにコンテンツウィンドウ２０５Ａがどのレイヤに表示されているかを示す情報（レイヤ情報）に応じて、遮蔽ウィンドウ２０４の表示位置、表示サイズ、および表示レイヤを調整した遮蔽ウィンドウ２０４Ａ（図９（Ｃ）参照）を表示するための遮蔽画像データを生成する。
なお、コンテンツウィンドウ２０５Ａの表示位置情報、表示サイズ情報、および表示レイヤ情報は、当該コンテンツウィンドウ２０５Ａのウィンドウハンドルとして記憶手段６０に記憶されている。
遮蔽ウィンドウ表示手段５２は、遮蔽ウィンドウ調整手段５５Ａが生成した遮蔽画像データを用いて遮蔽ウィンドウ２０４の表示位置、表示サイズ、および表示レイヤを調整し、遮蔽ウィンドウ２０４Ａを表示面２０に表示させる。
【００５４】
｛電子黒板システムの作用｝
次に、電子黒板システム１Ａの作用を説明する。
まず、使用者が入力装置３あるいは指示物を用いて、コンテンツの表示指示の操作を行うと、図７に示すように、ＰＣ５Ａは、ステップＳ１〜ステップＳ４の処理を行う。すなわち、表示指示を検出して図９（Ａ）に示すように、遮蔽ウィンドウ２０４を表示させる。そして、図９（Ｂ）に示すように、遮蔽ウィンドウ２０４の下層にコンテンツウィンドウ２０５Ａを表示させる。
【００５５】
次に、遮蔽ウィンドウ調整手段５５Ａは、遮蔽対象となるコンテンツウィンドウ２０５Ａのウィンドウハンドルを記憶手段６０から検知する。そして、このウィンドウハンドルに基づいて、コンテンツウィンドウ２０５Ａの表示位置情報、表示サイズ情報、および表示レイヤ情報を取得する（ステップＳ２１）。
次に、遮蔽ウィンドウ調整手段５５Ａは、取得した表示位置情報を用いて、遮蔽ウィンドウ２０４の表示位置を対象アプリケーション（コンテンツウィンドウ２０５Ａ）の表示位置に移動させる（ステップＳ２２）。具体的には、遮蔽ウィンドウ調整手段５５Ａは、遮蔽ウィンドウ２０４の中心位置とコンテンツウィンドウ２０５Ａの中心位置とが一致するように、遮蔽ウィンドウ２０４Ａの表示位置を設定し、遮蔽ウィンドウ２０４の表示位置を調整する。なお、遮蔽ウィンドウ２０４Ａとコンテンツウィンドウ２０５Ａとのそれぞれの左上位置、右上位置、左下位置、または右下位置のいずれかが一致するように、遮蔽ウィンドウ２０４Ａの表示位置を設定してもよい。また、遮蔽ウィンドウ２０４Ａとコンテンツウィンドウ２０５Ａとのそれぞれの中心、左上位置、右上位置、左下位置、または右下位置のいずれかが所定の位置関係となるように遮蔽ウィンドウ２０４Ａの表示位置を設定してもよい。
【００５６】
次に、対象アプリケーション（コンテンツウィンドウ２０５Ａ）の表示サイズに合わせて遮蔽ウィンドウ２０４Ａの表示サイズを変更する（ステップＳ２３）。具体的には、遮蔽ウィンドウ調整手段５５Ａは、取得した表示サイズ情報に基づいて、コンテンツウィンドウ２０５Ａの表示サイズに合わせて遮蔽ウィンドウ２０４Ａの表示サイズを設定し、遮蔽ウィンドウ２０４の表示サイズを調整する。
【００５７】
なお、遮蔽ウィンドウ２０４Ａの表示サイズおよび表示位置は、コンテンツウィンドウ２０５Ａによって表示されるコンテンツの内容を理解不可能とする程度にコンテンツウィンドウ２０５Ａを遮蔽するのに必要十分な表示サイズおよび表示位置であればよい。
例えば、遮蔽ウィンドウ２０４Ａの表示サイズは、コンテンツウィンドウ２０５Ａの表示サイズ以下であり、遮蔽ウィンドウ２０４Ａの表示位置は、コンテンツウィンドウ２０５Ａを遮蔽可能な位置である。これにより、遮蔽ウィンドウ２０４Ａがコンテンツウィンドウ２０５Ａを遮蔽するとともに、表示面２０のコンテンツウィンドウ２０５Ａが表示されていない領域を視認可能とすることができる。また、表示面２０のコンテンツウィンドウ２０５Ａが表示されていない領域を視認可能とすることにより、コンテンツウィンドウ２０５Ａを遮蔽した状態でも、この領域を使用して他のコンテンツを表示したり、電子黒板システム１の各種の動作を制御する等、表示面２０を用いる作業を行うことができる。
【００５８】
また、例えば、遮蔽ウィンドウ２０４Ａの表示サイズおよび表示位置は、コンテンツウィンドウ２０５Ａのタイトル表示部２０６Ａや、コンテンツウィンドウ２０５Ａを操作するためのメニュー表示部等が表示される管理表示領域が遮蔽されず、コンテンツウィンドウ２０５Ａによって表示されるコンテンツの内容を理解不可能とする程度にコンテンツウィンドウ２０５Ａの内容表示領域を遮蔽するのに必要十分な表示サイズおよび表示位置である。具体的には、遮蔽ウィンドウ２０４Ａの表示サイズを、コンテンツウィンドウ２０５Ａの９０〜９５％を占めるサイズに、遮蔽ウィンドウ２０４Ａの表示位置を、コンテンツウィンドウ２０５Ａの上下左右の端部が遮蔽されず視認可能となる位置とする設定が例示できる。これにより、タイトル表示部２０６Ａやメニュー表示部等の管理表示領域を遮蔽せずに、コンテンツウィンドウ２０５Ａの内容を遮蔽することができる。したがって、コンテンツウィンドウ２０５Ａの内容を視認不可能とするとともに、使用者がコンテンツウィンドウ２０５Ａの概要を視認したり、メニュー表示部からコンテンツウィンドウ２０５Ａに対して各種の操作を行ったりすることができる。
【００５９】
次に、遮蔽ウィンドウ２０４Ａの表示レイヤを、対象アプリケーション（コンテンツウィンドウ２０５Ａ）の１つ前のレイヤに移動させる（ステップＳ２４）。具体的には、遮蔽ウィンドウ調整手段５５Ａは、コンテンツウィンドウ２０５Ａの表示レイヤ情報に基づいて、遮蔽ウィンドウ２０４Ａの表示レイヤがコンテンツウィンドウ２０５Ａの１つ上のレイヤとなるように、遮蔽ウィンドウ２０４Ａの表示レイヤを設定し、遮蔽ウィンドウ２０４の表示レイヤを調整する。なお、少なくとも、遮蔽ウィンドウ２０４Ａがコンテンツウィンドウ２０５Ａよりも上のレイヤに表示されるように、遮蔽ウィンドウ２０４Ａの表示レイヤを設定するようにしてもよい。
【００６０】
ステップＳ２１〜Ｓ２４の処理が行われた結果、図９（Ｂ）に示す遮蔽ウィンドウ２０４の表示位置、表示サイズ、および表示レイヤが変更される。そして、図９（Ｃ）に示す遮蔽ウィンドウ２０４Ａが表示される。遮蔽ウィンドウ２０４Ａは、コンテンツウィンドウ２０５Ａの前面に表示され、その内容を視認不可能とする。また、遮蔽ウィンドウ２０４Ａは、その表示サイズがコンテンツウィンドウ２０５Ａよりも小さく、その表示位置がコンテンツウィンドウ２０５Ａの上下左右の端部を視認可能とする位置に設定されている。例えば、遮蔽ウィンドウ２０４Ａは、コンテンツウィンドウ２０５Ａの９０〜９５％を占めるサイズに設定されている。これにより、遮蔽ウィンドウ２０４Ａは、コンテンツウィンドウ２０５Ａの概要を示すタイトル表示部２０６Ａを視認可能としつつ、コンテンツウィンドウ２０５Ａの内容を視認不可能とする。
【００６１】
なお、ステップＳ２１〜Ｓ２４では、対象アプリケーション（コンテンツウィンドウ２０５Ａ）の表示位置情報、表示サイズ情報、および表示レイヤ情報を取得した後、遮蔽ウィンドウ２０４の表示位置を移動させ、遮蔽ウィンドウ２０４の表示サイズを変更し、遮蔽ウィンドウ２０４の表示レイヤを移動させている。しかし、このような処理に限定されず、遮蔽ウィンドウ調整手段５５Ａが、対象アプリケーション（コンテンツウィンドウ２０５Ａ）の表示位置情報、表示サイズ情報、および表示レイヤ情報に基づいて、遮蔽ウィンドウ２０４の表示位置、表示サイズ、および表示レイヤを設定し、遮蔽画像データを更新する。そして、遮蔽ウィンドウ表示手段５２が、この遮蔽画像データを用いて新たな遮蔽ウィンドウ２０４Ａを表示面２０に表示させるようにしてもよい。
【００６２】
次に、図８に示すように、遮蔽ウィンドウ調整手段５５Ａは、対象アプリケーション（コンテンツウィンドウ）の表示位置、表示サイズ、および表示レイヤの少なくともいずれかが変更されたか否かを判断する（ステップＳ２５）。
ステップＳ２５で、対象アプリケーション（コンテンツウィンドウ２０５Ａ）の表示位置、表示サイズ、および表示レイヤの少なくともいずれかが変更されたことを検知されると、遮蔽ウィンドウ２０４Ａの表示位置を対象アプリケーション（コンテンツウィンドウ２０５Ａ）の表示位置に移動させる（ステップＳ２６）。次に、対象アプリケーション（コンテンツウィンドウ２０５Ａ）の表示サイズに合わせて遮蔽ウィンドウ２０４Ａの表示サイズを変更する（ステップＳ２７）。さらに、遮蔽ウィンドウの表示レイヤを、対象アプリケーション（コンテンツウィンドウ２０５Ａ）の１つ前のレイヤに移動させる（ステップＳ２８）。
なお、ステップＳ２６〜Ｓ２８の処理は、ステップＳ２２〜Ｓ２４の処理と同様なのでその詳細な説明は省略する。
ステップＳ２５〜Ｓ２８の処理が行われた結果、コンテンツウィンドウの表示位置、表示サイズ、および表示レイヤの変更に応じて、このコンテンツウィンドウを遮蔽可能なように遮蔽ウィンドウの表示位置、表示サイズ、および表示レイヤが変更される。
【００６３】
次に、遮蔽ウィンドウ表示手段５２は、遮蔽処理終了の指示を検知したか否かを判断する（ステップＳ２９）。遮蔽処理終了の指示を検知している場合、遮蔽ウィンドウ表示手段５２は、遮蔽ウィンドウを閉じて、遮蔽処理を終了させる。遮蔽処理終了の指示を検知していない場合、遮蔽ウィンドウ表示手段５２は、スッテップＳ２５に戻り、以下の処理を繰り返す。
また、ステップＳ２５において、遮蔽ウィンドウ表示手段５２は、対象アプリケーション（コンテンツウィンドウ２０５Ａ）の表示位置、表示サイズ、および表示レイヤの少なくともいずれかが変更されたことを検知できないと、ステップＳ２９の処理を行う。
また、ステップＳ２において、遮蔽処理が許可されていないと判断され場合、コンテンツ表示手段５１は、アプリケーションを起動して、コンテンツウィンドウ２０５Ａを表示させ（ステップＳ５）、処理を終了する。
【００６４】
なお、複数のコンテンツウィンドウが表示される場合は、それぞれに対して、上記処理を行うように構成すればよい。
また、図７および図８のフローチャートには示していないが、遮蔽処理を行った後に、遮蔽ウィンドウの表示位置、サイズ、およびレイヤを、表示装置２の操作検出部２２や入力装置３を介して適宜変更可能であることはいうまでもない。
【００６５】
｛第２実施形態の作用効果｝
上述したような第２実施形態では、上記実施形態と同様の作用効果に加えて、以下のような作用効果を得ることができる。
（６）電子黒板システム１Ａは、対象コンテンツ（コンテンツウィンドウ２０５Ａ）の表示位置情報、表示サイズ情報、および表示レイヤ情報を取得して、遮蔽ウィンドウ２０４Ａの表示位置、表示サイズ、表示レイヤを設定する。
このため、使用者がコンテンツウィンドウ２０５Ａの表示指示を行うだけで、コンテンツウィンドウ２０５Ａの表示位置、表示サイズ、および表示レイヤに応じて、遮蔽ウィンドウ２０４の表示位置、表示サイズ、および表示レイヤが変更され、遮蔽ウィンドウ２０４Ａが表示される。このため、使用者は、遮蔽ウィンドウ２０４の表示位置、表示サイズ、および表示レイヤを手動で変更する必要がなく、コンテンツウィンドウ２０５Ａを確実かつ容易に遮蔽することができる。
また、コンテンツウィンドウ２０５Ａが、このコンテンツウィンドウ２０５Ａに対する各種の制御を行うためのメニュ表示部（表示画像制御用画像）や、コンテンツウィンドウ２０５Ａの概要を示すタイトル表示部２０６Ａ（概要表示画像）の少なくとも一方を含む管理表示領域を有する場合、少なくとも管理表示領域以外の領域を遮蔽するように遮蔽ウィンドウ２０４を調整する。
このため、管理表示領域を遮蔽せずに、コンテンツウィンドウ２０５Ａの内容を遮蔽することができる。これにより、コンテンツウィンドウ２０５Ａの内容を視認不可能とするとともに、使用者がコンテンツウィンドウ２０５Ａの概要を視認したり、メニュー表示部からコンテンツウィンドウ２０５Ａに対して各種の操作を行ったりすることができる。  
【００６６】
［第３実施形態］
次に、本発明の第３実施形態について説明する。
第３実施形態と第１実施形態との違いは、第３実施形態では、第１実施形態の処理に加えて、表示対象のコンテンツに含まれる音声が出力されない非出力状態とする処理を行う点である。
なお、以下の説明において、第１実施形態と同じ機能を有する構成や同じ処理については、同一符号を付し説明を省略あるいは簡略にする。
【００６７】
｛電子黒板システムの構成｝
図１０に示すように、電子黒板システム１Ｂは、表示装置２と、入力装置３と、音声出力装置４と、ＰＣ５Ｂとを備える。
また、ＰＣ５Ｂの制御部５０Ｂは、記憶手段６０に記憶されたプログラムおよびデータをＣＰＵが処理することにより構成される、コンテンツ表示手段５１と、遮蔽ウィンドウ表示手段５２と、音声制御手段５３Ｂとを備える。
音声制御手段５３Ｂは、コンテンツに対して遮蔽処理が行われている間、コンテンツに含まれる音声が音声出力装置４から出力されない非出力状態となるように制御する。
【００６８】
｛電子黒板システムの作用｝
次に、電子黒板システム１Ｂの作用を説明する。
まず、使用者が入力装置３あるいは指示物を用いて、コンテンツの表示指示の操作を行うと、図１１に示すように、電子黒板システム１Ｂは、ステップＳ１〜ステップＳ３の処理を行う。すなわち、表示指示を検出して、図５（Ａ）に示すように遮蔽ウィンドウ２０４を表示させる。
【００６９】
そして、ステップＳ２で遮蔽が許可されていると判断された場合、ステップＳ３の処理の後に、音声制御手段５３Ｂは、音声出力装置４から音声が出力されない非出力状態となるように、音声出力装置４の出力を停止させる（ステップＳ３１）。これにより、コンテンツウィンドウ２０５に表示されるコンテンツに音声が含まれる場合であっても、音声出力装置４から音声が出力されることがないので、コンテンツの内容を知られることを防止できる。
なお、音声制御手段５３Ｂは、コンテンツを表示するアプリケーションによって再生される音声のみを非出力状態とするように、このアプリケーションの音声出力設定を変更してもよい。
【００７０】
次に、電子黒板システム１Ｂは、図５（Ｂ）に示すように、遮蔽ウィンドウ２０４の下層にコンテンツウィンドウ２０５を表示させ（ステップＳ４）、処理を終了する。
また、ステップＳ２において、遮蔽処理が許可されていないと判断され場合、コンテンツ表示手段５１は、アプリケーションを起動して、コンテンツウィンドウ２０５を表示させ（ステップＳ４）、処理を終了する。
【００７１】
なお、図１１のフローチャートには示していないが、ステップＳ４を行った後に、図７、図８に示す、第２実施形態のステップＳ２１〜ステップＳ２９を行ってもよい。
また、本実施形態においても、遮蔽ウィンドウの表示位置、サイズ、およびレイヤを、表示装置２の操作検出部２２や入力装置３を介して適宜変更可能であることはいうまでもない。
【００７２】
｛第３実施形態の作用効果｝
上述したような第３実施形態では、上記実施形態と同様の作用効果に加えて、以下のような作用効果を得ることができる。
（７）電子黒板システム１Ｂは、表示指示を検出し、遮蔽が許可されている場合、コンテンツに含まれる音声が音声出力装置４から出力されない非出力状態とする処理を行う。
これにより、使用者がコンテンツの表示指示を行うだけで、コンテンツに音声が含まれる場合であっても、この音声が音声出力装置４から出力されることがなく、コンテンツの内容を知られることを防止できる。
【００７３】
［第４実施形態］
次に、本発明の第４実施形態について説明する。
第４実施形態と第１実施形態との違いは、第４実施形態では、第１実施形態の処理に加えて、コンテンツウィンドウ内の文字を検出し、検出した文字を含む領域を遮蔽可能な遮蔽ウィンドウを表示する処理を行う点である。
なお、以下の説明において、第１実施形態と同じ機能を有する構成や同じ処理については、同一符号を付し説明を省略あるいは簡略にする。
【００７４】
｛電子黒板システムの構成｝
図１２に示すように、電子黒板システム１Ｃは、表示装置２と、入力装置３と、音声出力装置４と、ＰＣ５Ｃとを備える。
また、ＰＣ５Ｃの制御部５０Ｃは、記憶手段６０に記憶されたプログラムおよびデータをＣＰＵが処理することにより構成される、コンテンツ表示手段５１と、遮蔽ウィンドウ表示手段５２と、音声制御手段５３と、遮蔽ウィンドウ調整手段５５Ｃと、文字検出手段５６Ｃとを有する。
表示装置２、制御装置５０Ｃのコンテンツ表示手段５１、遮蔽ウィンドウ表示手段５２、音声制御手段５３、および記憶手段６０、入力装置３、ならびに音声出力装置４については、その第１実施形態と同様なのでその説明は省略する。
【００７５】
文字検出手段５６Ｃは、コンテンツウィンドウ２０５内に表示されている文字を検出する。文字を検出する具体的な方法は、特に制限されず、コンテンツウィンドウのどの領域に表示されているかを検出可能であればよく、例えば、ＯＣＲ（Optical Character Recognition）技術を用いて、表示された画像に含まれる文字を検出すればよい。また、コンテンツがテキストデータを含む場合、このテキストデータから文字を検出してもよい。また、文字検出手段５６Ｃは、検出した文字がコンテンツウィンドウ内のどの領域に表示されているかを検出する。
【００７６】
遮蔽ウィンドウ調整手段５５Ｃは、文字検出手段５６Ｃによる文字の検出結果に応じて、遮蔽ウィンドウの遮蔽領域を設定する。また、遮蔽ウィンドウ調整手段５５Ｃは、設定した遮蔽領域に基づいて、この遮蔽領域のみを遮蔽する新たな遮蔽ウィンドウ表示するための遮蔽画像データを生成する。
【００７７】
｛電子黒板システムの作用｝
次に、電子黒板システム１Ｃの作用を説明する。
まず、使用者が入力装置３あるいは指示物を用いて、コンテンツの表示指示の操作を行うと、図１３に示すように、ＰＣ５Ｃは、ステップＳ１〜ステップＳ４の処理を行う。すなわち、表示指示を検出して図５（Ａ）に示すように、遮蔽ウィンドウ２０４を表示させる。そして、図５（Ｂ）に示すように、遮蔽ウィンドウ２０４の下層にコンテンツウィンドウ２０５を表示させる。
【００７８】
次に、文字検出手段５６Ｃは、遮蔽対象となるコンテンツウィンドウ２０５のコンテンツを解析して、コンテンツウィンドウ２０５に含まれる文字の表示サイズおよび表示位置を検出する（ステップＳ４１）。
図１３（Ａ）に示すように、コンテンツウィンドウ２０５に文字が含まれている場合、文字検出手段５６Ｃは、コンテンツウィンドウ２０５に含まれる文字を検出し、その表示サイズおよびコンテンツウィンドウ２０５における表示位置を特定する。表示サイズの特定方法は、特に制限されないが、例えば、検出された文字をその内部に包含する、最少の矩形領域を特定する等の方法である。
【００７９】
次に、遮蔽ウィンドウ調整手段５５Ｃは、文字検出手段５６Ｃによって検出された文字を遮蔽する遮蔽領域を設定する（ステップＳ４２）。具体的には、遮蔽ウィンドウ調整手段５５Ｃは、検出された文字の文字サイズに基づいて、この文字を遮蔽するのに必要十分な遮蔽領域の表示サイズを特定する。そして、遮蔽ウィンドウ調整手段５５Ｃは、コンテンツウィンドウ２０５における遮蔽領域の表示位置を特定する。この後、遮蔽ウィンドウ調整手段５５Ｃは、この特定した表示サイズおよび表示位置に応じた遮蔽領域２０７（図１４（Ｂ）参照）を設定する。この遮蔽領域２０７のサイズおよび形状は、特に制限的ではなく、文字を読み取り不可能にするのに十分なサイズおよび形状であればよい。
【００８０】
次に、遮蔽ウィンドウ調整手段５５Ｃは、遮蔽ウィンドウ２０４を、図１４（Ｂ）に示すようなコンテンツウィンドウ２０５の文字のみを隠蔽するような遮蔽領域２０７に更新する（ステップＳ４３）。
具体的には、遮蔽ウィンドウ調整手段５５Ｃは、設定した遮蔽領域における透過率を０％に設定し、それ以外の領域では透過率を１００％に設定して、新たな遮蔽画像データを生成する。そして、遮蔽画像データに基づいて、遮蔽ウィンドウを更新する。
これにより、図１４（Ｂ）に示す、コンテンツウィンドウ２０５は、遮蔽領域２０７に覆われた領域のみが視認不可能な状態となる。
【００８１】
ＰＣ５Ｃは、遮蔽ウィンドウの更新（ステップＳ４３）を行ったら、処理を終了する。
また、ステップＳ２において、遮蔽処理が許可されていないと判断された場合、コンテンツ表示手段５１は、コンテンツウィンドウ２０５を表示させ（ステップＳ５）、処理を終了する。
【００８２】
なお、図１３のフローチャートには示していないが、ステップＳ４を行った後に、図７に示す、第２実施形態のステップＳ２１〜ステップＳ２４を行ってもよい。また、ステップＳ４３を行った後に、図８に示す、第２実施形態のステップＳ２５〜ステップＳ２９を行ってもよい。
また、本実施形態においても、遮蔽ウィンドウの表示位置、サイズ、およびレイヤを、表示装置２の操作検出部２２や入力装置３を介して適宜変更可能であることはいうまでもない。
【００８３】
｛第４実施形態の作用効果｝
上述したような第４実施形態では、上記実施形態と同様の作用効果に加えて、以下のような作用効果を得ることができる。
（８）電子黒板システム１Ｃは、コンテンツウィンドウ２０５に含まれる文字を検出し、この文字を含む領域を遮蔽する遮蔽領域２０７を表示する。
このため、使用者がコンテンツウィンドウ２０５の表示指示を行うだけで、コンテンツウィンドウ２０５に含まれる文字の表示領域のみを遮蔽することができる。これにより、コンテンツウィンドウ２０５の内容を容易に理解することを困難とすることができる。
また、コンテンツウィンドウ２０５に含まれる文字の表示領域のみを遮蔽し、文字以外の例えば図表等の画像の表示領域を表示することにより、コンテンツウィンドウ２０５の内容を容易に理解することができない視聴者にコンテンツウィンドウ２０５の内容を想像しようという意欲を喚起させることができる。すなわち、使用者がコンテンツウィンドウ２０５の表示指示を行うだけで、文字が遮蔽された状態のコンテンツウィンドウ２０５を表示させることができ、視聴者の注意を好適に惹きつけることができる。
【００８４】
［第５実施形態］
次に、本発明の第５実施形態について説明する。
第５実施形態と第１実施形態との違いは、第５実施形態では、第１実施形態の処理に加えて、コンテンツウィンドウを複数のブロックに分割し、ブロック毎に遮蔽するか否かを決定し、遮蔽対象のブロックのみを遮蔽領域とした遮蔽ウィンドウを表示する処理を行う点である。
なお、以下の説明において、第１実施形態と同じ機能を有する構成や同じ処理については、同一符号を付し説明を省略あるいは簡略にする。
【００８５】
｛電子黒板システムの構成｝
図１５に示すように、電子黒板システム１Ｄは、表示装置２と、入力装置３と、音声出力装置４と、ＰＣ５Ｄとを備える。
また、ＰＣ５Ｄの制御部５０Ｄは、記憶手段６０に記憶されたプログラムおよびデータをＣＰＵが処理することにより構成される、コンテンツ表示手段５１と、遮蔽ウィンドウ表示手段５２と、音声制御手段５３と、遮蔽ウィンドウ調整手段５５Ｄと、２階調画像生成手段５７Ｄ、分割手段５８Ｄとを有する。
【００８６】
２階調画像生成手段５７Ｄは、表示されたコンテンツウィンドウ２０５に２階調化処理を施して、２階調画像を生成する。
分割手段５８Ｄは、２階調画像生成手段５７Ｄが生成した２階調画像を複数のブロックに分割する。
遮蔽ウィンドウ調整手段５５Ｄは、分割手段５８Ｄによって生成された複数のブロックのそれぞれに対して、遮蔽対象とするか否かを決定する。そして、遮蔽ウィンドウ調整手段５５Ｄは、遮蔽すると決定したブロックのみを遮蔽領域とする遮蔽ウィンドウを表示させるための遮蔽画像データを生成する。
【００８７】
｛電子黒板システムの作用｝
次に、電子黒板システム１Ｄの作用を説明する。
まず、使用者が入力装置３あるいは指示物を用いて、コンテンツの表示指示の操作を行うと、図１６に示すように、電子黒板システム１Ｄは、ステップＳ１〜ステップＳ４の処理を行う。すなわち、表示指示を検出して図５（Ａ）に示すように、遮蔽ウィンドウ２０４を表示させる。そして、図５（Ｂ）に示すように、遮蔽ウィンドウ２０４の下層にコンテンツウィンドウ２０５を表示させる。
【００８８】
次に、２階調画像生成手段５７Ｄは、遮蔽対象となる対象アプリケーション、すなわちコンテンツウィンドウ２０５を解析して、コンテンツウィンドウ２０５を２階調化した２階調画像２０８（図１７（Ａ）参照）を生成する（ステップＳ５１）。
この後、分割手段５８Ｄは、図１７（Ｂ）に示すように、２階調画像２０８を複数のブロックに分割する（ステップＳ５２）。
本実施形態では、コンテンツウィンドウ２０５の遮蔽対象領域に対応する２階調画像２０８の領域を分割の対象としている。すなわち、少なくともタイトル表示部２０６が遮蔽対象とならないようにコンテンツウィンドウ２０５の上下左右の端部を除く領域を遮蔽対象領域としている。そして、２階調画像２０８の分割対象となる領域を、コンテンツウィンドウ２０５の遮蔽対象領域に対応する領域としている。なお、遮蔽対象領域は、特に制限されないが、例えば、コンテンツウィンドウ２０５のタイトル表示部２０６や、コンテンツウィンドウ２０５を操作するためのメニュー表示部等が遮蔽されず、コンテンツウィンドウ２０５によって表示されるコンテンツの内容を理解不可能とするのに必要十分な値に設定すればよい。
【００８９】
次に、遮蔽ウィンドウ調整手段５５Ｄは、ステップＳ５２において生成された複数のブロックのそれぞれに対して、遮蔽対象とするか否かを決定し、遮蔽対象となるブロックである遮蔽対象ブロックを設定する（ステップＳ５３）。
本実施形態では、遮蔽ウィンドウ調整手段５５Ｄは、２階調画像２０８において、図形や文字あるいは物体などのオブジェクトが表示されている領域（オブジェクト領域）を示すオブジェクト情報を参照し、図１７（Ｃ）に示すように、オブジェクト領域を含むブロックを遮蔽対象ブロック２０９とし、オブジェクト領域を含まないブロックを非遮蔽対象ブロック２１０とする。
【００９０】
次に、遮蔽ウィンドウ調整手段５５Ｄは、遮蔽対象ブロック２０９のみを遮蔽領域とする遮蔽ウィンドウを表示させるための遮蔽画像データを生成する。そして、遮蔽ウィンドウ表示手段５２は、この遮蔽画像データを用いて遮蔽ウィンドウを更新する（ステップＳ５４）。
具体的には、遮蔽ウィンドウ調整手段５５Ｄは、図１７（Ｃ）に示すように、遮蔽対象ブロック２０９の透過率を０％に設定し、非遮蔽対象ブロック２１０の透過率を１００％に設定した、新たな遮蔽ウィンドウを表示させる。
これにより、コンテンツウィンドウ２０５は、遮蔽対象ブロック２０９に覆われた領域のみが視認不可能な状態となる。
【００９１】
ＰＣ５Ｄは、遮蔽ウィンドウの更新（ステップＳ５４）を行ったら、処理を終了する。
また、ステップＳ２において、遮蔽処理が許可されていないと判断された場合、コンテンツ表示手段５１は、コンテンツウィンドウ２０５を表示させ（ステップＳ５）、処理を終了する。
【００９２】
なお、本実施形態では、遮蔽対象ブロック２０９を設定する際に、オブジェクト領域を含むブロックを全て遮蔽対象ブロック２０９としたが、これに限定されない。例えば、各ブロックの表示領域に対してオブジェクト領域が所定の割合以上であるブロックを遮蔽対象ブロック２０９として、オブジェクト領域が所定の割合未満であるブロックを非遮蔽対象ブロック２１０としてもよい。
【００９３】
また、本実施形態では、コンテンツウィンドウ２０５から２階調画像２０８を生成（ステップＳ５１）し、２階調画像２０８を複数のブロックに分割（ステップＳ５２）しているが本発明はこれに限定されない。例えば、コンテンツウィンドウ２０５を複数のブロックに分割し、コンテンツウィンドウ２０５に関するオブジェクト情報に基づいて遮蔽対象ブロックを決定してもよい。２階調画像２０８を分割する場合であっても、コンテンツウィンドウ２０５を分割する場合であっても、本質的には遮蔽対象となる対象コンテンツを分割していることに変わりがない。したがって、本実施形態においては、２階調画像２０８を分割することも、対象コンテンツを分割することに含める。
【００９４】
また、本実施形態では、遮蔽対象ブロック２０９を設定するのに、オブジェクト情報として２階調画像２０８を利用したが、これに限定されない。例えば、ステップＳ５１の代わりに、図１３に示す、第４実施形態のステップＳ４１を行って文字を検出し、この文字が含まれるブロックを遮蔽対象ブロック２０９として設定してもよい。
【００９５】
また、本実施形態では、コンテンツウィンドウ２０５または２階調画像２０８の遮蔽対象領域のみを分割対象としたが、コンテンツウィンドウ２０５または２階調画像２０８の全領域を分割対象としてもよい。この場合、さらに、コンテンツウィンドウ２０５または２階調画像２０８の非遮蔽対象領域を含むブロックを非遮蔽対象ブロック２１０と設定するようにしてもよい。
【００９６】
また、ブロックのサイズは、特に制限されないが、例えば、コンテンツウィンドウ２０５に含まれる文字サイズ（例えば、平均サイズ）程度であればよい。これにより、ブロックのサイズが大きすぎて、全てのブロックがオブジェクト領域を含んでしまい、視認可能な状態としたい領域までも遮蔽されてしまうことを防止できる。また、遮蔽が必要なのに、オブジェクト領域が所定の割合を超えずに遮蔽されないブロックが出現することを防止できる。一方、ブロックのサイズが小さすぎて、遮蔽対象ブロックの設定や、遮蔽画像データの生成における処理負荷が不必要に増大することを防止できる。
【００９７】
なお、図１６のフローチャートには示していないが、ステップＳ４を行った後に、図７に示す、第２実施形態のステップＳ２１〜２４を行ってもよい。また、ステップＳ４３を行った後に、図８に示す、第２実施形態のステップＳ２５〜ステップＳ２９を行ってもよい。また、ステップＳ４を行う前に、図１１に示す、第３実施形態のステップＳ３１（消音処理）を行ってもよい。
また、本実施形態においても、遮蔽ウィンドウの表示位置、サイズ、およびレイヤを、表示装置２の操作検出部２２や入力装置３を介して適宜変更可能であることはいうまでもない。
【００９８】
｛第５実施形態の作用効果｝
上述したような第２実施形態では、上記実施形態と同様の作用効果に加えて、以下のような作用効果を得ることができる。
（９）電子黒板システム１Ｄは、対象コンテンツ（コンテンツウィンドウ）においてオブジェクト領域を示すオブジェクト情報を取得する。また、対象コンテンツ（コンテンツウィンドウ）を複数ブロックに分割する。そして、オブジェクト情報に基づいて遮蔽対象ブロック２０９を決定し、遮蔽対象ブロック２０９のみを遮蔽領域とする遮蔽ウィンドウ（遮蔽画像）を生成する処理を行う。
このため、使用者がコンテンツウィンドウ２０５の表示指示を行うだけで、コンテンツウィンドウ２０５のオブジェクト情報に基づいて遮蔽対象ブロック２０９を設定することができる。これにより、コンテンツウィンドウ２０５の全面ではなく、所望の領域のみを遮蔽する遮蔽ウィンドウを容易に表示させることができる。このように所望の領域のみを容易に遮蔽することができるので、視聴者に対してコンテンツウィンドウ２０５の内容を容易に理解できないようにするとともに、遮蔽ウィンドウの形状からコンテンツウィンドウ２０５の内容を想像しようという意欲を喚起させることができる。
【００９９】
（１０）電子黒板システム１Ｄは、遮蔽対象ブロック２０９を決定する際に、オブジェクト領域が所定の割合以上を占めるブロックを遮蔽対象ブロック２０９とする処理を行う。
このため、使用者がコンテンツウィンドウ２０５の表示指示を行うだけで、コンテンツウィンドウ２０５のオブジェクト領域の一部を視認可能とする遮蔽ウィンドウを容易に表示させることができる。これにより、コンテンツウィンドウ２０５の内容を容易に理解することを困難とすることができる。また、あえて、コンテンツウィンドウ２０５のオブジェクト領域の一部を視認可能とすることにより、コンテンツウィンドウ２０５の内容を容易に理解することができない視聴者にコンテンツウィンドウ２０５の内容を想像しようという意欲を喚起させることができる。
【０１００】
［変形例］
なお、本発明は上記第１〜第５実施形態に限定されず、本発明の目的を達成できる範囲での変形、改良などは本発明に含まれる。
例えば、コンテンツウィンドウと遮蔽ウィンドウの２つのウィンドウを表示させることで、遮蔽を行うとしたが、例えば、コンテンツと遮蔽画像を一つのウィンドウで表示させるようにしてもよい。すなわち、コンテンツウィンドウの所望の領域に遮蔽画像を表示させるように構成してもよい。
さらに、表示画像の表示指示の操作を検出した際に、当該表示画像を従前に表示させたときのサイズおよび位置を検出し、この検出したサイズおよび位置となるように遮蔽画像を調整して表示し、その後、表示画像を表示してもよい。
また、コンテンツウィンドウの表示位置、表示サイズ、および表示レイヤに応じて、最初に表示させた遮蔽ウィンドウの表示位置、表示サイズ、および表示レイヤを調整して、コンテンツウィンドウを遮蔽するとしたが、これに限定されない。例えば、コンテンツウィンドウの表示位置、表示サイズ、および表示レイヤに基づいて、少なくともこのコンテンツウィンドウを遮蔽可能な新たな遮蔽ウィンドウを、最初に表示させた遮蔽ウィンドウとは別に表示した後に、最初に表示させた遮蔽ウィンドウを消去してもよい。
また、表示部２１として、スクリーン、およびこのスクリーンに画像を投影するプロジュクタを有するプロジェクタシステムを用いてもよい。
また、上記第１〜第５実施形態を適宜組み合わせた構成としてもよい。
【符号の説明】
【０１０１】
１、１Ａ、１Ｂ、１Ｃ、１Ｄ…電子黒板システム
３…操作検出手段としての入力装置
４…音声出力手段としての音声出力装置
２０…表示面
２２…操作検出手段としての操作検出部
【図１】
2014010541.tif 000003
【図２】
2014010541.tif 000004
【図３】
2014010541.tif 000005
【図４】
2014010541.tif 000006
【図５】
2014010541.tif 000007
【図６】
2014010541.tif 000008
【図７】
2014010541.tif 000009
【図８】
2014010541.tif 000010
【図９】
2014010541.tif 000011
【図１０】
2014010541.tif 000012
【図１１】
2014010541.tif 000013
【図１２】
2014010541.tif 000014
【図１３】
2014010541.tif 000015
【図１４】
2014010541.tif 000016
【図１５】
2014010541.tif 000017
【図１６】
2014010541.tif 000018
【図１７】
2014010541.tif 000019